(57)【要約】【課題】配線モジュールの製造効率を向上させることができる。【解決手段】電極端子１２を有する複数の蓄電素子１１を備えた蓄電素子群１０に取り付けられる配線モジュール１３であって、電極端子１２に接続されるバスバー２０と、バスバー２０に接続される電線２５と、バスバー２０及び電線２５を収容する絶縁プロテクタ３０と、を備え、絶縁プロテクタ３０は、バスバー２０を収容する収容部３２と、電線２５を収容する電線収容部７４と、収容部３２から電線収容部７４に向かって延びると共に収容部３２と電線収容部７４とを連通する連通部３６と、を有し、電線収容部７４は、連通部３６の延びる方向と交差する方向に延びて形成されており、電線収容部７４には、連通部３６の延びる方向と交差する部分に、電線２５との干渉を避ける退避部４３が開口されている。【選択図】図４
2017111915.tif 000002
【特許請求の範囲】
【請求項１】
電極端子を有する複数の蓄電素子を備えた蓄電素子群に取り付けられる配線モジュールであって、
前記電極端子に接続される接続部材と、
前記接続部材に接続される電線と、
前記接続部材及び前記電線を収容する絶縁プロテクタと、を備え、
前記絶縁プロテクタは、前記接続部材を収容する収容部と、前記電線を収容する電線収容部と、前記収容部から前記電線収容部に向かって延びると共に前記収容部と前記電線収容部とを連通する連通部と、を有し、
前記電線収容部は、前記連通部の延びる方向と交差する方向に延びて形成されており、
前記電線収容部には、前記連通部の延びる方向と交差する部分に、前記電線との干渉を避ける退避部が開口されている、配線モジュール。
【請求項２】
前記絶縁プロテクタには前記電線収容部を覆う電線カバーを有しており、
前記電線カバーによって前記退避部が塞がれている、請求項１に記載の配線モジュール。
【請求項３】
前記電線カバーは、前記絶縁プロテクタに対してヒンジにより一体に形成されており、
前記接続部材は前記電線の端部と接続される電線接続部を有し、
前記ヒンジは、前記接続部材が前記収容部に収容された状態において、前記接続部材を前記収容部に組み付ける組み付け方向について、前記電線接続部よりも前記組み付け方向の前方の位置に配されている、請求項２に記載の配線モジュール。
【請求項４】
前記電線カバーが前記電線収容部を覆った状態において、前記ヒンジは撓み変形するようになっており、
前記絶縁プロテクタには、前記電線カバーが前記電線収容部を覆った状態において、前記ヒンジの変形が緩和される方向に前記電線カバーが移動することを抑制する押さえ部が設けられている、請求項３に記載の配線モジュール。
【請求項５】
前記絶縁プロテクタは、連結された複数の絶縁ユニットを備えており、
前記複数の絶縁ユニットのそれぞれは、前記収容部と、前記連通部と、前記電線収容部と、前記電線カバーと、前記ヒンジと、を有しており、
前記複数の絶縁ユニットのそれぞれは、隣り合う絶縁ユニットに形成された電線カバーの端縁に重ねられた重なり部と、前記重なり部が重ねられた被重なり部を有する、請求項３または請求項４に記載の配線モジュール。
【請求項６】
前記複数の絶縁ユニットのそれぞれは、前記電線収容部が延びる方向について、一方側に前記重なり部を有し、他方側に前記被重なり部を有する、請求項５に記載の配線モジュール。
【発明の詳細な説明】
【技術分野】
【０００１】
本明細書に記載された技術は、配線モジュールに関する。
【背景技術】
【０００２】
従来、特開２０１２−１９９００７号公報に記載の配線モジュールが知られている。この配線モジュールは、複数の蓄電素子を備えた蓄電素子群に取り付けられるようになっている。
【０００３】
配線モジュールは、蓄電素子の電極端子に電気的に接続される電圧検知端子と、電圧検知端子に接続された電線と、電圧検知端子及び電線を収容する絶縁プロテクタと、を備える。絶縁プロテクタには、電圧検知端子が収容される収容部と、電線が収容される電線収容溝が形成されている。
【先行技術文献】
【特許文献】
【０００４】
【特許文献１】特開２０１２−１９９００７号公報
【発明の概要】
【発明が解決しようとする課題】
【０００５】
しかしながら、上記の技術によると、電線収容溝は、電圧検知端子のバレル部と直交する方向に延びて形成されている。このため、電圧検知端子及び電線を絶縁プロテクタに収容する際には、電圧検知端子に接続された電線を屈曲させながら、電圧検知端子を収容部に収容し、且つ、電線を電線収容溝に収容する作業を行う必要がある。このため、電圧検知端子のバレル部に、電線を屈曲させるための力が及び、バレル部、又は電圧検知端子が変形する虞がある。電圧検知端子が変形しないように注意しながら電圧検知端子及び電線の組み付け作業を行うことは、配線モジュールの製造効率が低下するので好ましくない。
【０００６】
本明細書に記載された技術は上記のような事情に基づいて完成されたものであって、配線モジュールの製造効率を向上させることを目的とする。
【課題を解決するための手段】
【０００７】
本明細書に記載された技術は、電極端子を有する複数の蓄電素子を備えた蓄電素子群に取り付けられる配線モジュールであって、前記電極端子に接続される接続部材と、前記接続部材に接続される電線と、前記接続部材及び前記電線を収容する絶縁プロテクタと、を備え、前記絶縁プロテクタは、前記接続部材を収容する収容部と、前記電線を収容する電線収容部と、前記収容部から前記電線収容部に向かって延びると共に前記収容部と前記電線収容部とを連通する連通部と、を有し、前記電線収容部は、前記連通部の延びる方向と交差する方向に延びて形成されており、前記電線収容部には、前記連通部の延びる方向と交差する部分に、前記電線との干渉を避ける退避部が開口されている。
【０００８】
上記の構成によれば、連通部から延出された電線は、連通部の延びる方向に延びて配置される。電線収容部には、連通部の延びる方向と交差する部分に退避部が開口されているので、電線が電線収容部と干渉することが抑制される。このため、収容部に接続部材を収容すると共に電線収容部に電線を収容する作業において、電線と電線収容部との干渉を避けるために、連通部から延びる電線を曲げる必要がない。この結果、接続部材に力が加わらないように注意しながら電線を曲げる作業が不要となるので、配線モジュールの製造効率を向上させることができる。
【０００９】
本明細書に開示された技術の実施態様としては以下の態様が好ましい。
【００１０】
前記絶縁プロテクタには前記電線収容部を覆う電線カバーを有しており、前記電線カバーによって前記退避部が塞がれていることが好ましい。
【００１１】
上記の構成によれば、カバーを取り付けることによって、退避部を塞ぐことができるので、異物が電線収容部内に侵入することが抑制される。
【００１２】
前記電線カバーは、前記絶縁プロテクタに対してヒンジにより一体に形成されており、前記接続部材は前記電線の端部と接続される電線接続部を有し、前記ヒンジは、前記接続部材が前記収容部に収容された状態において、前記接続部材を前記収容部に組み付ける組み付け方向について、前記電線接続部よりも前記組み付け方向の前方の位置に配されていることが好ましい。
【００１３】
上記の構成によれば、接続部材を収容部に収容する際に、接続部材に接続された電線が、カバーと干渉することが確実に抑制される。
【００１４】
前記電線カバーが前記電線収容部を覆った状態において、前記ヒンジは撓み変形するようになっており、前記絶縁プロテクタには、前記電線カバーが前記電線収容部を覆った状態において、前記ヒンジの変形が緩和される方向に前記電線カバーが移動することを抑制する押さえ部が設けられていることが好ましい。
【００１５】
上記の構成によれば、ヒンジの変形が緩和することが抑制されるので、電線カバーと電線収容部との間に隙間が形成されることが抑制される。これにより、電線収容部内に異物が侵入することを抑制することができる。
【００１６】
前記絶縁プロテクタは、連結された複数の絶縁ユニットを備えており、前記複数の絶縁ユニットのそれぞれは、前記収容部と、前記連通部と、前記電線収容部と、前記電線カバーと、前記ヒンジと、を有しており、前記複数の絶縁ユニットのそれぞれは、隣り合う絶縁ユニットに形成された電線カバーの端縁に重ねられた重なり部と、前記重なり部が重ねられた被重なり部を有することが好ましい。
【００１７】
上記の構成によれば、重なり部と被重なり部とが重なり合うことによって、隣り合う電線カバー同士の隙間は屈曲した形状となる。これにより、隣り合う電線カバー同士の隙間から異物が侵入することを抑制することができる。
【００１８】
前記複数の絶縁ユニットのそれぞれは、前記電線収容部が延びる方向について、一方側に前記重なり部を有し、他方側に前記被重なり部を有することが好ましい。
【００１９】
上記の構成によれば、電線収容部が延びる方向について一方側の端部に位置する絶縁ユニットの電線カバーで電線収容部を覆うという操作を行うと、この絶縁ユニットの他方側の端部に設けられた被重なり部が、隣り合う絶縁ユニットの電線カバーの重なり部を押し上げることにより、隣り合う絶縁ユニットの電線カバーも電線収容部を覆うようになっている。さらに、その隣に位置する絶縁ユニットの電線カバーについても同様の作用を得られる。この結果、上記の構成によれば、複数の絶縁ユニットに形成された複数の電線カバーについて、一つの絶縁ユニットに対する一つの操作によって、全ての絶縁ユニットの絶縁カバーで電線収容部を覆うことができる。これにより、配線モジュールの製造効率を向上させることができる。
【発明の効果】
【００２０】
本明細書に記載された技術によれば、配線モジュールの製造効率を向上させることができる。
【図面の簡単な説明】
【００２１】
【図１】実施形態１に係る配線モジュールを示す平面図
【図２】絶縁プロテクタを示す平面図
【図３】絶縁プロテクタにバスバー及び電線を取り付ける工程を示す斜視図
【図４】絶縁プロテクタにバスバー及び電線が取り付けられた状態を示す斜視図
【図５】電線カバーを閉じる前の状態を示す斜視図
【図６】電線カバーを閉じる前の状態を示す断面図
【図７】電線カバーを閉じる途中の工程を示す斜視図
【図８】電線カバーを閉じる途中の工程を示す断面図
【図９】電線カバーが閉じられた状態を示す斜視図
【図１０】電線カバーが閉じられた状態を示す側面図
【図１１】図１０におけるＸＩ−ＸＩ線断面図
【図１２】図１０におけるＸＩＩ−ＸＩＩ線断面図
【図１３】図１０におけるＸＩＩＩ−ＸＩＩＩ線断面図
【図１４】バスバーカバーを取り付ける工程を示す斜視図
【図１５】バスバーカバーが取り付けられた状態を示す平面図
【図１６】図１５におけるＸＶＩ−ＸＶＩ線断面図
【図１７】バスバーカバーが取り付けられた状態を示す側面図
【図１８】図１７におけるＸＶＩＩＩ−ＸＶＩＩＩ線断面図
【図１９】バスバーカバーが取り付けられた状態を示す断面図
【図２０】バスバーカバーが取り付けられた状態を示す断面図
【発明を実施するための形態】
【００２２】
＜実施形態１＞
本明細書に記載された技術の実施形態１を、図１ないし図２０を参照しつつ説明する。本実施形態に係る配線モジュール１３は、正極及び負極の電極端子１２を有する複数の蓄電素子１１を並べてなる蓄電素子群１０の上面に装着され、各蓄電素子１１を直列に電気接続して蓄電モジュール１４を構築することに適用されるものである。以下の説明では、Ｘ方向を右方とし、Ｙ方向を前方とし、Ｚ方向を上方として説明する。また、複数の同一部材については、一の部材に符号を付し、他の符号を省略することがある。
【００２３】
図１に示すように、電極端子１２は、ボルト状をなしており、蓄電素子１１の上面から立ち上がって設けられている。本実施形態に係る蓄電素子１１は二次電池である。複数の蓄電素子１１は、隣り合う電極端子１２の極性が異なるように並べられている。
【００２４】
（配線モジュール１３）
配線モジュール１３は、隣り合う蓄電素子１１の電極端子１２同士を接続する複数のバスバー２０（接続部材の一例）と、各バスバー２０に接続されて引き出された電線２５と、バスバー２０及び電線２５を収容する絶縁性の合成樹脂製の絶縁プロテクタ３０と、を備える。
【００２５】
（バスバー２０）
バスバー２０は、導電性に優れた金属板をプレス加工して形成されている。バスバー２０を構成する金属としては、銅、銅合金、アルミニウム、アルミニウム合金等必要に応じて任意の金属を適宜に選択できる。バスバー２０の表面には金属製のメッキ層が形成されていてもよい。メッキ層を構成する金属は、スズ、ニッケル等、必要に応じて任意の金属を適宜に選択できる。
【００２６】
バスバー２０には、一対の丸孔からなる貫通孔２１が所定の間隔を空けて形成されている。貫通孔２１には、蓄電素子１１の電極端子１２が挿通されるようになっている。
【００２７】
バスバー２０一方の長辺における中央長さ位置には、電線接続部２２が、バスバー２０から突出している。電線接続部２２は、ワイヤーバレル２３とインシュレーションバレル２４とを備える。電線接続部２２の突出する方向は、一対の貫通孔２１の並ぶ方向と直交している。
【００２８】
電線２５は、芯線（図示せず）の外周を絶縁被覆２７で被覆してなる被覆電線である。電線接続部２２のワイヤーバレル２３は、電線２５の端末から露出した芯線の外周に巻き付くように圧着されている。これにより、バスバー２０と電線２５は電気的に接続されている。また、電線接続部２２のインシュレーションバレル２４は、絶縁被覆２７の外周に巻き付くように圧着されている。
【００２９】
（絶縁プロテクタ３０）
図２に示すように、絶縁プロテクタ３０は、複数の絶縁ユニット３１が連結されて構成されている。本実施形態では、３つの絶縁ユニット３１を例示して説明する。
【００３０】
絶縁ユニット３１は、バスバー２０が収容される収容部３２が、上方に開口して形成されている。収容部３２は概ね角筒状に形成されており、収容部３２内に収容されたバスバー２０を外部から絶縁するようになっている。収容部３２は、バスバー２０の周囲に設けられた周壁３３を有する。周壁３３は、絶縁ユニット３１が並べられた方向について一方の側面が開口されており、他の三方においてバスバー２０を包囲している。本実施形態においては、右方の側面が開孔されている。複数の絶縁ユニット３１が並べられることにより、一の絶縁ユニット３１の周壁３３のうち開口された部分に、隣に配された絶縁ユニット３１の周壁３３が嵌り込むようになっている。これにより、バスバー２０の全周が周壁３３によって絶縁されるようになっている。
【００３１】
バスバー２０の側縁には凹部２８が形成されている。一方、収容部３２の周壁３３には、凹部２８に対応する部分に、バスバー２０側に突出する凸部３４が形成されている。バスバー２０が収容部３２内に収容された状態で、凸部３４は、凹部２８内に入り込むようになっている。凹部２８は、蓄電素子１１が並ぶ方向（左右方向）についてクリアランスを有して凸部３４を収容可能になっている。これにより、バスバー２０と、各絶縁ユニット３１は、左右方向について相対的に移動可能になっている。
【００３２】
収容部３２の周壁３３には、収容部３２の内方に突出する弾性係止片４０が形成されている。この弾性係止片４０は、バスバー２０の上面に係止して、バスバー２０を上方に抜け止めするようになっている。
【００３３】
収容部３２の前方の位置には、電線２５が収容される電線収容部７４が設けられている。収容部３２と電線収容部７４とは、前後方向（収容部３２から電線収容部７４に向かう方向）に沿って延びて形成された連通部３６によって連通されている。連通部３６は、溝状に形成されている。この連通部３６内に、バスバー２０の電線接続部２２と、この電線接続部２２に接続された電線２５の端部と、が配されるようになっている。
【００３４】
電線収容部７４は、左右方向に沿って延びて形成されている。換言すると、連通部３６の延びる方向と交差する方向に延びている。本実施形態においては、連通部３６の延びる方向と、電線収容部７４の延びる方向とは、実質的に直交している。
【００３５】
電線収容部７４は、電線２５が載置される底壁７６が左右方向に延びて形成されている。複数の絶縁ユニット３１が左右方向に連結されることにより、各絶縁ユニット３１に設けられた電線収容部７４も左右方向に連なるようになっている。
【００３６】
底壁７６の前端縁には、左右方向に間隔を空けて上方に突出する複数の柵状壁４２が形成されている。連通部３６の前方（連通部３６の延びる方向）には、柵状壁４２は形成されていない。これにより、連通部３６の前方には、連通部３６から前方の導出された電線２５が、電線収容部７４を構成する部材と干渉しないようになっている。このように、複数の柵状壁４２の間に形成された開口であって、連通部３６の前方に位置するものは、電線２５との干渉を避けるための退避部４３とされる。
【００３７】
（バスバーカバー１００）
バスバー２０が収容部３２内に収容された状態において、絶縁プロテクタ３０にはバスバーカバー１００が組み付けられることにより、バスバー２０が上方から覆われるようになっている。これにより、バスバー２０の異物が接触することが抑制されるようになっている。
【００３８】
バスバーカバー１００は、絶縁性の合成樹脂製であって、左右方向に細長い形状をなしている。
【００３９】
バスバーカバー１００の形状を詳細に説明する。バスバーカバー１００の断面形状は、図１９に示すように、バスバーカバー１００の表面における前後の側縁に、それぞれ被係止縁１０１が全長に亘って立ち上がり形成されている。この被係止縁１０１が、絶縁ユニット３１の周壁３３の上端縁から上方に突出して形成された係止片８０によって上方から係止されることにより、バスバーカバー１００が、絶縁プロテクタ３０に一体に組み付けられる。
【００４０】
また、バスバーカバー１００の左端縁には、下方に延設されたロック部１１３が形成されている。このロック部１１３は、絶縁プロテクタ３０の左端縁に設けられた被ロック部１１２と弾性的に係止することにより、絶縁プロテクタ３０に一体に組み付けられる。
【００４１】
（電線カバー６０）
絶縁ユニット３１には、電線収容部７４を覆う電線カバー６０が設けられている。電線カバー６０は、電線収容部７４の底壁７６の前端縁であって、柵状壁４２の前方の位置において、ヒンジ６３を介して絶縁ユニット３１と一体に形成されている。
【００４２】
ヒンジ６３は、バスバー２０が収容部３２に収容された状態において、バスバー２０の電線接続部２２よりも下方（バスバー２０を収容部３２に組み付ける組み付け方向について前方）の位置に設けられている。
【００４３】
電線カバー６０は、断面形状が略Ｌ字形状をなしている。電線カバー６０は、柵状壁４２の前面側を覆う前面カバー部６１と、前面カバー部６１の先端に、電線収容部７４を上方から覆う上面カバー部６２と、を備える。前面カバー部６１と上面カバー部６２とは略直角に形成されている。
【００４４】
ヒンジ６３の左方、及び右方には、底壁７６の前端縁から上方に突出する押さえ部７８が形成されている。図１２に示すように、押さえ部７８は、ヒンジ６３を撓み変形させて電線カバー６０を回動させることにより、電線カバー６０によって電線収容部７４を覆った状態において、電線カバー６０の前面カバー部６１に対して前方から当接するようになっている。これにより、ヒンジ６３の撓み変形が緩和される方向に電線カバー６０が移動することを抑制するようになっている。
【００４５】
ヒンジ６３は合成樹脂製なので、弾性変形可能になっている。ヒンジ６３が撓み変形すると、ヒンジ６３には弾発力が発生する。この弾発力によってヒンジ６３が復帰変形しようとするので、ヒンジ６３の変形が緩和される方向に電線カバー６０が移動しようとするのである。
【００４６】
一の絶縁ユニット３１の電線カバー６０の右端縁には、一の絶縁ユニットの右隣に位置する他の絶縁ユニットの電線カバー６０の左端縁に重なる重なり部６７が、電線カバー６０の前面カバー部６１及び上面カバー部６２に対して段差を有して設けられている。他の絶縁ユニット３１の電線カバー６０のうち、一の絶縁ユニット３１の電線カバー６０の重なり部６７が重ねられる部分は、被重なり部６８とされる。
【００４７】
各絶縁ユニット３１の電線カバー６０の右端縁には重なり部６７が形成されており、左端縁には、被重なり部６８が形成されている。
【００４８】
続いて、電線カバー６０を閉鎖位置でロックする構造について説明する。電線カバー６０における上面カバー部６２の裏面には、先端縁寄りの位置において、ロック片６５が形成されている。ロック片６５は、先端に爪部６６が形成される。
【００４９】
一方、上記した絶縁ユニット３１には、ロック片６５に係止するロック部４５が形成されている。電線カバー６０が閉鎖位置に向けて回動され、回動の終盤になると、ロック片６５の先端部が、ロック部４５に下方から弾性的に係止する。これにより、これにより電線カバー６０が閉鎖位置にロックされた状態となる。
【００５０】
電線カバー６０の上面カバー部６２の裏面（閉鎖された場合の上面）には、図１１に示すように、前後方向の前側の位置に設けられた背の高いリブ７５Ａと、前後方向の後側に設けられた背の低いリブ７５Ｂとが、電線カバー６０の左右方向の略全長に亘って突出形成されている。
【００５１】
続いて、本実施形態の配線モジュール１３を用いた蓄電モジュール１４の組み立て手順の一例を説明する。なお、蓄電モジュール１４の組み立て手順は以下の構成に限定されない。
【００５２】
複数の絶縁ユニット３１を並べて連結することによって絶縁プロテクタ３０を形成する。電線カバー６０は開放位置にある（図３参照）。
【００５３】
一方、各バスバー２０に設けられた電線接続部２２に対し、電線２５の端末を圧着して接続する。言い換えると、バスバー２０の一側縁から電線接続部２２を介して電線２５が引き出された形態となる（図３及び図６参照）。
【００５４】
上記のようなバスバー２０を、各収容部３２に個別に収容する。バスバー２０は収容部３２内に弾性係止片４０を弾性変位させつつ上方から押し込まれ（矢線Ａ）、併せて電線接続部２２が連通部３６に挿入される。
【００５５】
図２０に示すように、バスバー２０は、弾性係止片４０がバスバー２０の上面に係止することにより、収容部３２内に抜け止めされて、保持される。併せて、電線接続部２２が連通部３６の底面に載せられ、電線２５は、前方に向けて延びた状態で、配索される（図４参照）。
【００５６】
連通部３６から前方に延びて配索された電線２５は、柵状壁４２の間に設けられた退避部４３内に配される。
【００５７】
その後、各電線２５を、電線収容部７４に沿って右側に曲げ、電線収容部７４内に配置する（図５参照）。
【００５８】
上記のようにバスバー２０が収容部３２に収容され、それとともに各バスバー２０から引き出された電線２５が電線収容部７４に収容されたら、電線収容部７４を閉鎖するべく電線カバー６０を閉じる。
【００５９】
電線カバー６０は、図５及び図６に示す開放位置から、ヒンジ６３を中心として、図７及び図８に示す位置へ回転させ、更に、図９に示す閉鎖位置に向けて回動される。ここで、前端の電線カバー６０については、図１９に示すように、前側の係止片８０を逃がし窓７７に通して逃がしつつ回動される。
【００６０】
電線カバー６０が、上面カバー部６２が絶縁プロテクタ３０の上面に当たる閉鎖位置まで回動されると、図１３に示すように、ロック片６５がロック部４５に係止した状態に保持され、これにより電線カバー６０が閉鎖位置にロックされた状態となる。
【００６１】
電線カバー６０を回動させる間、隣り合う電線カバー６０同士は、重なり部６７と被重なり部６８とが重なり合っている（図７及び図８参照）。このため、右端側に位置する電線カバー６０を持って回動することにより、被重なり部６８が、重なり部６７を押し上げることにより、隣り合う絶縁ユニット３１の電線カバー６０が一括して回動するようになっている。
【００６２】
電線カバー６０が閉鎖されると、前面カバー部６１が電線収容部７４を構成する柵状壁４２の外面側を覆うとともに、連通部３６の上方を覆った状態となる。また、電線カバー６０の前面カバー部６１によって、柵状壁４２の間に形成された退避部４３が外面側から塞がれるようになっている。
【００６３】
このように組み立てられた配線モジュール１３が、図１に示すように、蓄電素子群１０の側縁部に沿って載せられる。これに伴い、蓄電素子１１に立てられた電極端子１２が、バスバー２０の貫通孔２１に下方から貫通して上面側に突出する。
【００６４】
続いて、バスバー２０の貫通孔２１に貫通された電極端子１２にナット（図示せず）を螺合して締め付けることにより、隣り合う蓄電素子１１の電極端子１２同士がバスバー２０を介して電気的に接続された状態となる。
【００６５】
ナットの締結作業が完了したら、バスバー２０が収容された状態の収容部３２の上面開口を覆うべくバスバーカバー１００が装着される。
【００６６】
手順としては、図１４に示すように、バスバーカバー１００を少し左下がりの斜め姿勢として、ロック部１１３と被ロック部１１２とを係合させた後、バスバーカバー１００の姿勢を水平に変えつつ絶縁プロテクタ３０の上面に向けて押し込む。バスバーカバー１００の押し込みが停止されたところで、図１６に示すように、被ロック部１１２が復元変位してロック部１１３と弾性的に係止する。
【００６７】
これによりバスバーカバー１００は、収容部３２の上面開口の全域を覆い、かつ電線カバー６０の上面カバー部６２を上方から押さえた状態に保持する（図１５及び図１７参照）。以上により、本実施形態の配線モジュール１３を用いた蓄電モジュール１４の組み立てが完了する。
【００６８】
（実施形態の作用、効果）
続いて、本実施形態の作用、効果について説明する。本実施形態に係る配線モジュール１３は、電極端子１２を有する複数の蓄電素子１１を備えた蓄電素子群１０に取り付けられる配線モジュール１３であって、電極端子１２に接続されるバスバー２０と、バスバー２０に接続される電線２５と、バスバー２０及び電線２５を収容する絶縁プロテクタ３０と、を備え、絶縁プロテクタ３０は、バスバー２０を収容する収容部３２と、電線２５を収容する電線収容部７４と、収容部３２から電線収容部７４に向かって延びると共に収容部３２と電線収容部７４とを連通する連通部３６と、を有し、電線収容部７４は、連通部３６の延びる方向と交差する方向に延びて形成されており、電線収容部７４には、連通部３６の延びる方向と交差する部分に、電線２５との干渉を避ける退避部４３が開口されている。
【００６９】
上記の構成によれば、連通部３６から延出された電線２５は、連通部３６の延びる方向に延びて配置される。電線収容部７４には、連通部３６の延びる方向と交差する部分に退避部４３が開口されているので、電線２５が電線収容部７４と干渉することが抑制される。このため、収容部３２にバスバー２０を収容すると共に電線収容部７４に電線２５を収容する作業において、電線２５と電線収容部７４との干渉を避けるために、連通部３６から延びる電線２５を曲げる必要がない。この結果、バスバー２０に力が加わらないように注意しながら電線２５を曲げる作業が不要となるので、配線モジュール１３の製造効率を向上させることができる。
【００７０】
また本実施形態によれば、絶縁プロテクタ３０には電線収容部７４を覆う電線カバー６０が取り付けられており、電線カバー６０によって退避部４３が塞がれている。
【００７１】
上記の構成によれば、電線カバー６０を取り付けることによって、退避部４３を塞ぐことができるので、異物が電線収容部７４内に侵入することが抑制される。
【００７２】
また、本実施形態によれば、電線カバー６０は、絶縁プロテクタ３０に対してヒンジ６３により一体に形成されており、バスバー２０は電線２５の端部と接続される電線接続部を有し、ヒンジ６３は、バスバー２０が収容部３２に収容された状態において、バスバー２０を収容部３２に組み付ける組み付け方向について、電線２５接続部よりも組み付け方向の前方の位置に配されている。
【００７３】
上記の構成によれば、バスバー２０を収容部３２に収容する際に、バスバー２０に接続された電線２５が、電線カバー６０と干渉することが確実に抑制される。
【００７４】
また、本実施形態によれば、電線カバー６０が電線収容部７４を覆った状態において、ヒンジ６３は撓み変形するようになっており、絶縁プロテクタ３０には、電線カバー６０が電線収容部７４を覆った状態において、ヒンジ６３の変形が緩和される方向に電線カバー６０が移動することを抑制する押さえ部７８が設けられている。
【００７５】
上記の構成によれば、ヒンジ６３の変形が緩和することが抑制されるので、電線カバー６０と電線収容部７４との間に隙間が形成されることが抑制される。これにより、電線収容部７４内に異物が侵入することを抑制することができる。
【００７６】
また、本実施形態によれば、絶縁プロテクタ３０は、連結された複数の絶縁ユニット３１を備えており、複数の絶縁ユニット３１のそれぞれは、収容部３２と、連通部３６と、電線収容部７４と、電線カバー６０と、ヒンジ６３と、を有しており、複数の絶縁ユニット３１のそれぞれは、隣り合う絶縁ユニット３１に形成された電線カバー６０の端縁に重ねられた重なり部６７と、重なり部６７が重ねられた被重なり部６８を有する。
【００７７】
上記の構成によれば、重なり部６７と被重なり部６８とが重なり合うことによって、隣り合う電線カバー６０同士の隙間は屈曲した形状となる。これにより、隣り合う電線カバー６０同士の隙間から異物が侵入することを抑制することができる。
【００７８】
更に、図１８に示すように、重なり部６７と被重なり部６８とが重なった状態における電線カバー６０同士の隙間は、リブ７５Ｂによって塞がれている。これにより、異物が隙間を通って、収容部３２の内部に侵入することが抑制されるようになっている。
【００７９】
また、本実施形態によれば、複数の絶縁ユニット３１のそれぞれは、電線収容部７４が延びる方向について、一方側に重なり部６７を有し、他方側に被重なり部６８を有する。
【００８０】
上記の構成によれば、電線収容部７４が延びる方向について一方側の端部に位置する絶縁ユニット３１の電線カバー６０で電線収容部７４を覆うという操作を行うと、この絶縁ユニット３１の他方側の端部に設けられた被重なり部６８が、隣り合う絶縁ユニット３１の電線カバー６０の重なり部６７を押し上げることにより、隣り合う絶縁ユニット３１の電線カバー６０も電線収容部７４を覆うようになっている。さらに、その隣に位置する絶縁ユニット３１の電線カバー６０についても同様の作用を得られる。この結果、上記の構成によれば、複数の絶縁ユニット３１に形成された複数の電線カバー６０について、一つの絶縁ユニット３１に対する一つの操作によって、全ての絶縁ユニット３１の絶縁カバーで電線収容部７４を覆うことができる。これにより、配線モジュール１３の製造効率を向上させることができる。
【００８１】
＜他の実施形態＞
本明細書に記載された技術は上記記述及び図面によって説明した実施形態に限定されるものではなく、例えば次のような実施形態も本明細書に記載された技術の技術的範囲に含まれる。
【００８２】
（１）本実施形態においては、蓄電素子１１として二次電池を用いたが、これに限られず、キャパシタを用いてもよい。
【００８３】
（２）本実施形態においては、電線カバー６０は絶縁プロテクタ３０にヒンジ６３によって一体に形成される構成としたが、これに限られず、電線カバー６０は絶縁プロテクタ３０と別部品であってもよい。
【００８４】
（３）本実施形態においては、絶縁プロテクタ３０は複数の絶縁ユニット３１が連結される構成としたが、これに限られず、絶縁プロテクタ３０は一つの部品として形成される構成としてもよい。
【００８５】
（４）押さえ部７８は省略してもよい。
【００８６】
（５）絶縁ユニット３１は、重なり部６７及び被重なり部６８を有さない構成としてもよい。
【００８７】
（６）本実施形態においては、接続部材は、隣り合う蓄電素子１１の電極端子１２同士を接続するバスバー２０とする構成としたが、これに限られず、隣り合う蓄電素子１１の電極同士は、接続部材とは異なるバスバーによって接続されて、接続部材は一つの電極端子１２に接続される構成としてもよい。
【００８８】
（７）本実施形態においては、バスバー２０に設けられたワイヤーバレル２３、及びインシュレーションバレル２４を電線２５に圧着することにより、電線２５とバスバー２０とを接続する構成としたが、これに限られず、電線２５とバスバー２０とは、溶接、はんだ付け等公知の手法により接続することができる。
【００８９】
（８）本実施形態では、電線２５は蓄電素子１１の電圧を検知する電圧検知線としたが、これに限られず、電流検知線等、他の検知電線とすることができる。
【符号の説明】
【００９０】
１０：蓄電素子群
１１：蓄電素子
１２：電極端子
１３：配線モジュール
２０：バスバー（接続部材）
２５：電線
３０：絶縁プロテクタ
３１：絶縁ユニット
３２：収容部
３６：連通部
４３：退避部
６０：電線カバー
６３：ヒンジ
６７：重なり部
６８：被重なり部
７４：電線収容部
７８：押さえ部
【図１】
2017111915.tif 000003
【図２】
2017111915.tif 000004
【図３】
2017111915.tif 000005
【図４】
2017111915.tif 000006
【図５】
2017111915.tif 000007
【図６】
2017111915.tif 000008
【図７】
2017111915.tif 000009
【図８】
2017111915.tif 000010
【図９】
2017111915.tif 000011
【図１０】
2017111915.tif 000012
【図１１】
2017111915.tif 000013
【図１２】
2017111915.tif 000014
【図１３】
2017111915.tif 000015
【図１４】
2017111915.tif 000016
【図１５】
2017111915.tif 000017
【図１６】
2017111915.tif 000018
【図１７】
2017111915.tif 000019
【図１８】
2017111915.tif 000020
【図１９】
2017111915.tif 000021
【図２０】
2017111915.tif 000022